【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
ベッドフレームに固定される基部フレームの内部を前後に移動自在となるよう摺動フレームを具備し、前記基部フレームには後側リンクの下端部を回動自在な状態で取り付け、前記摺動フレームには前側リンクの中間部を回動自在な状態で取り付け、前記後側リンクの中間部と前記前側リンクの下端部を連結リンクにより連結するとともに、前記後側リンクの上端部を背部支持枠の中間部にスライド自在に取り付け、前記前側リンクを前記背部支持枠の前端部に回動自在に支承するとともに、前記背部支持枠の背面にはカム部材を止着してなる起伏機構を設け、前記背部支持枠が倒伏した際に、前記後側リンクにカム部材が当接するよう構成したことを特徴とする背上げ可能なベッド。
【手続補正２】
【補正対象書類名】明細書
【補正対象項目名】０００７
【補正方法】変更
【補正の内容】
【０００７】
請求項１の発明は、ベッドフレームに固定される基部フレームの内部を前後に移動自在となるよう摺動フレームを具備し、前記基部フレームには後側リンクの下端部を回動自在な状態で取り付け、前記摺動フレームには前側リンクの中間部を回動自在な状態で取り付け、前記後側リンクの中間部と前記前側リンクの下端部を連結リンクにより連結するとともに、前記後側リンクの上端部を背部支持枠の中間部にスライド自在に取り付け、前記前側リンクを前記背部支持枠の前端部に回動自在に支承するとともに、前記背部支持枠の背面にはカム部材を止着してなる起伏機構を設け、前記背部支持枠が倒伏した際に、前記後側リンクにカム部材が当接するよう構成したことを特徴とする。
【手続補正３】
【補正対象書類名】明細書
【補正対象項目名】００１１
【補正方法】変更
【補正の内容】
【００１１】
最初に、第２図及び第３図に基づいて昇降機構１を具備したベッドフレーム２について説明する。
このベッドフレーム２は、左右一対の側部フレーム１１，１１とこれらの側部フレーム１１，１１を連結する連結部材１２及び連結軸１３とからなる。
側部フレーム１１は、門型形状に屈曲された連結パイプ１４の前後端部に接地部材１５，１５を固着してなる下部フレーム１６を備えている。さらに、接地部材１５，１５あるいは連結パイプ１４の前後端部には支柱１７，１７が立設状態となるように止着されている。また、連結パイプ１４の後端部にはコ字状のブラケット１８が固着されており、このブラケット１８には連結部材１２が回動自在となる状態で枢着されている。なお、この連結部材１２の他端部側には、コ字状プレート１９が固着されるとともに、雌ねじ部１９ａが設けられている。また、他方の側部フレーム１１側の連結部材１２には手動による締め付けが可能なネジ部材１９ｂが取り付けられている。
そして、前記支柱１７，１７には、入れ子状態で外嵌される摺動パイプ２０，２０が挿通されている。そして、この摺動パイプ２０，２０間には連結パイプ２１が固着されるとともに、摺動パイプ２０，２０のそれぞれの固着部内には空孔部２０ａ，２０ａが穿たれている。このように摺動パイプ２０，２０と連結パイプ２１とによって上部フレーム２２が構成されている。
【手続補正４】
【補正対象書類名】明細書
【補正対象項目名】００１２
【補正方法】変更
【補正の内容】
【００１２】
上記のように構成された下部フレーム１６の支柱１７に沿って、上部フレーム２２が上下に摺動するように昇降機構１が具備されている。
この昇降機構１は、次のように構成されている。
まず、後側の支柱１７内部には補強部材２３が固着されており、この補強部材２３と支柱１７の上部にナット部材２４が止着されている。そして、後側の摺動パイプ２０の上端部に固着された背面視において略Ｌ字状の固定プレート２５に回転自在となるように軸受けされた昇降ネジ２６をこのナット部材２４に螺合している。この昇降ネジ２６の上端部には歯車２７が止着されている。また、固定プレート２５には歯車２８が回転自在となるように軸受けされており、前記歯車２７と噛合している。なお、歯車２８の回転軸２９の一端部には断面視が多角形状に形成されたパイプ３０が止着されるとともに、他端部側にはピン３１が突出する状態で嵌着されている。さらに、これら歯車２７，２８を覆い隠すようにカバー３２が取り付けられている。
また、後側の支柱１７と摺動パイプ２０内に設けられたナット部材２４と昇降ネジ２６によって発生される駆動力を前側の支柱１７及び摺動パイプ２０に伝達するために索条体３３を用いている。まず、後側摺動パイプ２０の上部には溝付のローラー３４が支承されている。また、前側の摺動パイプ２０内には平面視においてコ字状の支持プレート３５が止着されている。この支持プレート３５は摺動パイプ２０内に挿通された支柱１７の内部に位置するように取り付けられており、さらに、この支持プレート３５の上下には溝付のローラー３４，３４が支承されている。なお、支持プレート３５の索条体３３が通る部分やローラー３４が位置する部分には切欠き部３５ａが設けられている。そして、後ろ側の支柱１７が止着された連結パイプ１４内に一端部を掛止した索条体３３を後ろ側の摺動パイプ２０に支承されたローラー３４に巻き掛け、さらに、空孔部２０ａを通し、連結パイプ２１内から前側の摺動パイプ２０内に通している。そして、支持プレート３５の上側のローラー３４に巻き掛けた索条体３３を下側のローラー３４を迂回して前側の支柱１７上端部に取り付けられた固定部材３６に止着している。
【手続補正５】
【補正対象書類名】明細書
【補正対象項目名】００１６
【補正方法】変更
【補正の内容】
【００１６】
次に前記ベッドフレーム２に取り付けられる基部フレーム３について第５図に基づいて説明する。
この基部フレーム３は、略矩形状に構成されている。まず、左右の側部パイプ４０，４０の前後端部に連結パイプ４１，４２を固着している。そして、後側の連結パイプ４１には駆動手段４３の取付部となるブラケット４４が固着されるとともに、起伏機構８の取付部となるブラケット４５，４５も固着されている。そして、左右の側部パイプ４０，４０にはそれぞれレール部材４６及び前側カムプレート４７、後側カムプレート４８が固着されている。なお、前側カムプレート４７及び後側カムプレート４８はＬ字状のプレートであり、互いに一定間隔離間した状態でレール部材４６から内側に突出するように固着されている。また、前側カムプレート４７にはそれぞれ軸部材４９が固着されている。
【手続補正６】
【補正対象書類名】明細書
【補正対象項目名】００２０
【補正方法】変更
【補正の内容】
【００２０】
このように構成された摺動フレーム４には引込手段５を介して脚部支持フレーム６が取り付けられている。
まず、脚部支持フレーム６について第８図に基づいて説明する。この脚部支持フレーム６は、内側にレール部材６８を固着した左右一対の側部パイプ６９，６９を備えている。この側部パイプ６９の後部側にはそれぞれ軸受部材７０，７１が固着されている。また、前記レール部材６８は内側に開口するとともに、後部側は側部パイプ６９と略平行な平行部と、前方部が上方を向く傾斜部と、この傾斜部上部から前方に向いた水平部が一体的に構成されてなるものである。
そして、この側部パイプ６９，６９間には連結プレート７２，７２が固着されている。また、側部パイプ６９，６９前端部にはブラケット７３，７３が固着されて、このブラケット７３，７３にはローラー７４，７４が転動自在に軸承されている。
【手続補正７】
【補正対象書類名】明細書
【補正対象項目名】００２１
【補正方法】変更
【補正の内容】
【００２１】
続いて、引込手段５について説明する。
まず、脚部支持フレーム６に設けられた引込手段５について、第８図に基づいて説明する。前記脚部支持フレーム６の連結プレート７２，７２の略中間部には箱状部材７５が止着されている。この箱状部材７５の内部には前後端部近傍で回転自在となるように溝付ローラー７６，７６が支承されている。なお、後側の溝付ローラー７６はボルト部材７７が固着されたブラケット７８に支承されており、このボルト部材７７を箱状部材７５にナット７９により固定することで、溝付ローラー７６，７６の間隔を適宜調節可能に構成している。そして、この前後の溝付ローラー７６，７６にループ状となるように索条体８０が取り付けられている。また、この索条体８０には、箱状部材７５の両側面に設けた前後方向の切欠き部７５ａ，７５ａに沿って転動するようにそれぞれローラー８１，８１が軸部材８２，８２によって支承されるとともに、軸部材８２，８２の端部は側方に突出するように構成されている。
そして、一方の軸部材８２には脚部支持枠１０の固定部材８３が軸支されており、他方の軸部材８２には引込パイプ８４が軸支される。
前記固定部材８３は、正面視コ字状のプレートで、第９図に示すように側面視において脚部支持枠１０の固定部となる軸部８５が挿通されるよう溝部８６ａが設けられるとともに、前後に空孔部８６ｂ，８６ｃが穿たれた保持プレート８６と、前記溝部８６ａに挿通された軸部８５の抜け止めがされるようにロック片８７ａが一体的に設けられたロックプレート８７からなり、保持プレート８６の前方側の空孔部８６ｂにロックプレート８７を軸支するとともに、ロックプレート８７と保持プレート８６間にスプリング８８を配し、軸部８５が抜け止めされる方向に付勢しているものである。そして、この固定部材８３の後部空孔部８６ｃを前記軸部材８２に軸支している。
【手続補正８】
【補正対象書類名】明細書
【補正対象項目名】００２２
【補正方法】変更
【補正の内容】
【００２２】
さらに、この引込手段５は、摺動フレーム４の支軸６５に支承される左右一対の前後のリンクアーム８９，９０を備えている。この前後のリンクアーム８９，９０について、第１０に基づいて説明する。
まず、後部リンクアーム８９は、両端部に軸受部材９１，９２が固着されたアーム部材９３からなるものである。
そして、前部リンクアーム９０は、上部アーム部材９４と下部アーム部材９５とからなるものである。まず、上部アーム部材９４は、略へ字状のプレート９６の短辺部の先端側に軸部材９７を固着するとともに、長辺部の先端寄りに軸受部材９８を固着し、さらに曲部にも軸受部材９９が固着されて構成されている。また、曲部近傍には短辺部に対して略垂直に突起部９６ａが設けられている。そして、前記軸部材９７にはローラー１００が支承されている。次に、下部アーム部材９５はコ字状のアーム部材１０１の一端部に軸受部材１０２が固着されており、他端部側には空孔部１０１ａが穿たれている。この空孔部１０１ａと前記上部アーム部材９４の軸受部材９８を軸承して、屈曲自在な前部リンクアーム９０を構成している。なお、アーム部材１０１にはボルト部材１０３が螺着されており、上部アーム部材のプレート９６の長辺部先端に接当させることで角度調節が可能となっている。
【手続補正９】
【補正対象書類名】明細書
【補正対象項目名】００３９
【補正方法】変更
【補正の内容】
【００３９】
このカム機構を備えた起伏機構８は第２２図に示すように作動する。
まず、（ａ）図に示した状態はリンク機構により作動している状態を示している。この状態から、さらに背部支持枠を倒伏させると（ｂ）図の状態となる。なお、この（ｂ）図の状態が第２１図の倒伏スピードが増し始めるところである。この状態は、摺動フレーム４が基部フレーム３の前方に移動することで、後側リンク１２６と前側リンク１２７の取付部が離れることによってそれぞれのリンク１２６，１２７が倒伏するとともに、これらに支持されている背部支持枠９も倒伏し、背部支持枠９に止着されたカム部材１２３，１２３が後側リンク１２６上に接当した状態である。
この状態から、（ｂ）（ｃ）図に示す状態とすると、前記各リンク１２６，１２７の取付部の間隔はさらに広がり、後側リンク１２６はさらに倒伏する。このとき、カム部材は後側リンク１２６に接当し、後側リンク１２６先端の鍔付ローラー１３０がスライド孔１２４ａに沿って移動しながら背部支持枠９は倒伏する。
このときの背部支持枠９の起立角度を摺動フレーム４の移動量の関係を第２１図にあらわしている。これをみるとわかるように、起立角度が大きいところから、略一定の倒伏スピードで水平状態とすることができる起伏機構８となっている。
したがって、急激な起立角度の変化がなく、一定のスピードで起立あるいは倒伏させることができるので快適な使用ができる。